(57)【特許請求の範囲】
【請求項１】
局部洗浄のための洗浄液を貯める洗浄液タンクと、この洗浄液タンク内の洗浄液を先端に設けた噴出口に導く洗浄液流路と、この洗浄液流路の途中から切換弁を介して分岐し洗浄液タンク内に通じる洗浄液循環路と、洗浄液タンク内の洗浄液を切換弁の切換状態に応じて洗浄液流路から噴出口へ供給するかまたは洗浄液循環路を介して洗浄液タンク内に戻すポンプと、前記洗浄液循環路を循環する洗浄液を加熱する触媒燃焼器で構成した発熱源を備え、前記触媒燃焼器と燃料タンクの間に燃焼開閉弁を設け、洗浄液の温度を検知する温度検知手段の信号で前記燃焼開閉弁を開閉する携帯用洗浄装置。
【請求項２】
温度検知手段で検知した洗浄液の温度が設定温度に達したことを表示する表示部を設けた請求項１記載の携帯用洗浄装置。
【請求項３】
洗浄液の温度を設定する温度設定手段と、洗浄液の温度を表示する洗浄液温度表示部を設けた請求項１または２記載の携帯用洗浄装置。
【請求項４】
温度検知手段で検知した洗浄液の温度が設定温度に達するまでは、切換弁を洗浄液循環路側へロックする請求項１から３のいずれか１項記載の携帯用洗浄装置。
【発明の詳細な説明】
【０００１】
【発明の属する技術分野】
本発明は、発熱源を備えた携帯用洗浄装置に関するものである。
【０００２】
【従来の技術】
従来のこの種の携帯用洗浄装置は特開平７−２５５６３５号公報に記載されているようなものが一般的であった。この携帯用洗浄装置は図７に示すように持ち運び可能であって、筐体に局部洗浄のための洗浄液を貯める貯留タンク３１と、
この貯留タンク３１内の洗浄液を噴出する噴出機構３２と、複数個併設され、夫々の一部が破砕の容易に形成された気密ケース３３と、この気密ケース内に収納され、破砕箇所３４から侵入した空気と反応して発熱する化学的発熱剤３５からなる加熱体とから構成されている。
【０００３】
そして上記化学的発熱剤２５の熱で貯留タンク２１内の洗浄液を温めてから噴出させ、局部を洗浄するようになっていた。
【０００４】
【発明が解決しようとする課題】
しかしながら上記従来の携帯用洗浄装置では、貯留タンク２１内の洗浄液を化学的発熱剤２５で加熱する構成となっているので、加熱され高温になった洗浄液は貯留タンクの上部に滞留し、貯留タンク内の洗浄液に温度差ができて、人体の局部を洗浄するとき、噴出された洗浄液の温度が高温になったり、低温になったりするので不快を生じるという課題を有していた。
【０００５】
【課題を解決するための手段】
本発明は上記課題を解決するため、洗浄液流路の途中から切換弁を介して分岐し洗浄液タンク内に通じる洗浄液循環路と、洗浄液タンク内の洗浄液を切換弁の切換状態に応じて洗浄液通路から噴出口へ供給するかまたは洗浄液循環路を介して洗浄液タンク内に戻すポンプと、洗浄液循環路を循環する洗浄液を加熱する触媒燃焼器で構成した発熱源を備え、前記触媒燃焼器と燃料タンクの間に燃焼開閉弁を設け、洗浄液の温度を検知する温度検知手段の信号で前記燃焼開閉弁を開閉するものである。
【０００６】
上記発明によれば、洗浄液タンク内の洗浄液を洗浄液循環路の一部で加熱し、また洗浄液タンク内に戻すので、タンク内の洗浄液が順次、均等に加熱されることになり、噴出時には温度差の少ない洗浄液が得られ、快適な洗浄ができる。
【０００７】
【発明の実施の形態】
本発明の請求項１にかかる携帯用洗浄装置は、局部洗浄のための洗浄液を貯める洗浄タンクと、この洗浄タンク内の洗浄液を先端に設けた噴出口に導く洗浄液流路と、この洗浄液流路の途中から切換弁を介して分岐し洗浄液タンク内に通じる洗浄液循環路と、洗浄液タンク内の洗浄液を切換弁の切換状態に応じて洗浄液通路から噴出口へ供給するかまたは洗浄液循環路を介して洗浄タンク内に戻すポンプと、前記洗浄液循環路を循環する洗浄液を加熱する触媒燃焼器で構成した発熱源を備え、前記触媒燃焼器と燃料タンクの間に燃焼開閉弁を設け、洗浄液の温度を検知する温度検知手段の信号で前記燃焼開閉弁を開閉するものである。
【０００８】
そして、洗浄液タンク内の洗浄液を洗浄液循環路の一部で加熱し、また洗浄液タンク内に戻すので、タンク内の洗浄液が順次加熱されることになり、噴出時には温度差の小さい洗浄液が得られ、快適な洗浄ができる。
【０００９】
また、携帯用洗浄装置は、発熱源を触媒燃焼器としたものである。
【００１０】
そして、触媒燃焼器の着火と消火を自在にして、時と場所を選ばずに欲しいときに温水が得られ、快適な洗浄ができる。
【００１１】
さらに、触媒燃焼器と燃料タンクの間に燃料開閉弁を設け、洗浄液の温度を検知する温度検知手段の信号で燃料開閉弁を開閉する構成としている。
【００１２】
そして、洗浄液の温度によって触媒燃焼器の燃焼量の制御をおこなって、洗浄液を局部洗浄時に人体が快適に感じる温度に加温して洗浄することができる。
【００１３】
本発明の請求項２にかかる携帯用洗浄装置は、温度検知手段で検知した洗浄液の温度が設定温度に達したことを表示する表示部を設けたものである。
【００１４】
そして、洗浄液の温度が設定温度に達したかどうか表示部を見れば分かるので、洗浄液を一度噴出させて温度を体感的に確認することなしに使用でき、使い勝手の良い携帯用洗浄装置を得ることができる。
【００１５】
本発明の請求項３にかかる携帯用洗浄装置は、洗浄液の温度を設定する温度設定手段と、洗浄液の温度を表示する洗浄液温度表示部を設けたものである。
【００１６】
そして、洗浄液の温度を好みの温度に設定でき、その温度に達したかどうか洗浄液温度表示部を見て確認できるので、より快適で、使い勝手の良い携帯用洗浄装置を得ることができる。
【００１７】
本発明の請求項４にかかる携帯用洗浄装置は、温度検知手段で検知した洗浄液の温度が設定温度に達するまでは、切換弁を洗浄液循環路側へロックするものである。
【００１８】
そして、洗浄液が低温のときに誤って噴出させようとしても洗浄液は噴出されず不快を得ることはない。
【００１９】
【実施例】
以下、本発明の実施例について図面を用いて説明する。
【００２０】
（実施例１）
図１は本発明の実施例１の携帯洗浄装置の構成を示す。図１において、１は洗浄液タンクで、２はポンプ、３は洗浄液が噴出されるときに通過する洗浄液流路、４は洗浄液流路３の先端に設けられた噴出口、５は切換弁、６は洗浄液流路３の途中から切換弁５を介して分岐し洗浄液タンク１内に通じる洗浄液循環路、７は電気ヒータで熱伝導性のよい材料を介して洗浄液循環路６に取り付けている。８はポンプ２に電力を供給する電池で、９は切換弁５を切り換えることで、洗浄液を噴出口４から筐体外へ噴出させる噴出スイッチである。
【００２１】
次に動作，作用を説明すると、まず切換弁５を洗浄液が洗浄液循環路６に流れるようにして、ポンプ２によって洗浄液を洗浄液タンク１内から洗浄液循環路６を通過させ、再び洗浄液タンク１に戻し循環させる。１このとき、電気ヒータ７を通電すると洗浄液循環路６内を通過する洗浄液が加熱される。洗浄液タンク１内の洗浄液は順次ポンプ２によって洗浄液タンク１内から洗浄液循環路６を通過し洗浄液タンク１に戻るので、洗浄液全体が均一に加熱される。洗浄液が局部を洗浄するとき人体が快適に感じる温度まで昇温したとき、噴出スイッチ９によって切換弁５を洗浄液流路３側に切り換えると、洗浄液タンク１内の洗浄液は洗浄液流路３を通過し噴出口４から噴出される。噴出時には、温度差の小さい洗浄液が得られ、快適な洗浄ができる。
【００２２】
（実施例２）
図２は本発明の実施例２の携帯洗浄装置の構成を示す。実施例１と異なる点は、洗浄液循環路６を加熱する発熱源を触媒燃焼器１０としたところである。図２において、１１は放電を利用した点火装置、１２は燃料タンクで、電磁弁１３を介してガス噴出ノズル１４に燃料ガスを供給している。１５は燃焼用触媒、１６は点火スイッチである。
【００２３】
次に動作，作用を説明すると、まず切換弁５を洗浄液が洗浄液循環路６に流れるようにし、ポンプ２によって洗浄液を洗浄液タンク１内から洗浄液循環路６を通過させまた洗浄液タンク１に戻し循環させる。このとき、燃料開閉弁１３を開いてガス噴出ノズル１４より燃料ガスを噴出させ点火装置１１により着火し燃焼させる。燃焼の熱で燃焼用触媒１５が加熱され、燃焼用触媒１０の温度が約２００℃以上になると触媒燃焼が開始する。触媒燃焼器１０の温度が上昇し、洗浄液循環路６内の洗浄液は加熱される。洗浄液タンク１内の洗浄液は、順次ポンプ２によって洗浄液タンク１内から洗浄液循環路６を通過し洗浄液タンク１に戻るので、洗浄液全体が均一に加熱される。洗浄液が局部を洗浄する場合人体が快適に感じる温度まで昇温したとき、噴射スイッチ９によって切換弁５を洗浄液流路３側に切り換えると、洗浄液タンク１内の洗浄液は洗浄液流路３を通過し噴出口４から噴出される。触媒燃焼器１０の着火と消火を自在にして、時と場所を選ばずに欲しいときに温水が得られ、かつ噴出時には温度差の小さい洗浄液が得られる。
【００２４】
（実施例３）
図３は本発明の実施例３の携帯用洗浄装置の構成を示す。図３において、１０は触媒燃焼器、温度検知手段としてのサーミスタ１７は洗浄液の温度を検出するよう洗浄液流路３内に取り付けられている。サーミスタ１７の信号により燃料開閉弁１３を開閉する制御部１８は、洗浄液の温度が局部を洗浄するときに人体が快適に感じる３５℃近傍になるように、サーミスタ１７の温度が３２℃〜３８℃のとき燃料開閉弁１３を開閉するように設定されている。
【００２５】
次に動作，作用を説明すると、燃料開閉弁１３を開いてガス噴出ノズル１４より燃料ガスを噴出させ点火装置１１により着火し燃焼する。燃焼の熱で燃焼用触媒１５が加熱され、燃焼用触媒１５の温度が約２００℃以上になると触媒燃焼が開始する。触媒燃焼器１０の温度が上昇し、洗浄液循環路６内の洗浄液は加熱される。洗浄液が３８℃以上になるとサーミスタ１７の信号により制御部１８は、燃料開閉弁１３を閉じて燃料ガスの供給を止め、サーミスタ１７の温度が３２℃以下になれば制御部１８が燃料開閉弁１３を開けて燃料ガスの供給を再開し、洗浄液の温度が３５℃近傍に保持される。噴射スイッチ９によって切換弁５を洗浄液流路３側に切り換えると、洗浄液タンク１内の洗浄液は洗浄液流路３を通過し噴出口４から噴出される。触媒燃焼器１０の着火と消火を自在にして、時と場所を選ばずに欲しいときに温水が得られ、また洗浄液の温度によって触媒燃焼器１０の燃焼量の制御をおこなって、洗浄液を局部洗浄時に人体が快適に感じる温度に加温して洗浄することができ、かつ噴出時には温度差の小さい洗浄液が得られる。
【００２６】
（実施例４）
図４は本発明の実施例４の携帯洗浄装置の外観を示す。図４において、１９は洗浄液が人体が快適に感じる温度に達したかどうかをランプの点灯によって報知する表示部である。表示部１９は、サーミスタ１７で検出した洗浄液の温度が３２℃以上になれば、ランプを点灯するようにしている。使用者は、この表示部１９のランプの点灯の有無で、洗浄液の温度を人体が快適に感じる温度以上に達したかどうかを視覚的に確認でき、洗浄液を一度噴出させて温度を体感的に確認することなく使用でき、使い勝手がよい。
【００２７】
（実施例５）
図５は本発明の実施例５の携帯洗浄装置の外観を示す。図５において、２０は洗浄液温度表示部、２１は温度設定手段である。
【００２８】
動作，作用について説明すると、サーミスタ１７の信号により燃料開閉弁１３を開閉する制御部１８は、洗浄液の温度が局部を洗浄するときに使用者が快適に感じるように、使用者自身が温度設定手段２１に入力した温度近傍になるよう燃料開閉弁１３を開閉する。洗浄液の温度を使用者の好みの温度に設定でき、その温度に達したかどうかを洗浄液温度表示部２０を見て確認できるので、より快適で、使い勝手の良い携帯用洗浄装置を得ることができる。
【００２９】
（実施例６）
図６は本発明の実施例６の携帯用洗浄装置の構成図を示す。図６において、２２は切換弁５を洗浄液循環路６側へロックする切換え禁止手段である。
【００３０】
動作，作用について説明すると、サーミスタ１７で検知した温度が洗浄液の温度が局部を洗浄するときに人体が快適に感じる温度、例えば３０℃に達していないときに噴出スイッチ９を押した場合、切換禁止手段２２が切換弁５を洗浄液循環路６側へロックし、洗浄液を噴出させないようになっている。洗浄液が低温のときに誤って噴出させようとしても、洗浄液は噴出されず不快を得ることはない。
【００３１】
【発明の効果】
以上説明したように本発明の請求項１に係る携帯用洗浄装置は、洗浄液タンク内の洗浄液を洗浄液循環路の一部で加熱し、また洗浄液タンク内に戻すので、タンク内の洗浄液が順次加熱されることになり、噴出時には温度差の小さい洗浄液が得られ、快適な洗浄ができるという効果を有する。
【００３２】
そして、洗浄液を加熱する発熱源を触媒燃焼器としたので、触媒燃焼器の着火と消火を自在にして、時と場所を選ばずに欲しいときに温水が得られ、快適な洗浄ができるという効果を有する。
【００３３】
さらに、触媒燃焼器と燃料タンクの間に燃料開閉弁を設け、洗浄液タンク内に取り付けた温度検知手段の信号で燃料開閉弁を開閉する構成とし、洗浄液タンク内の温度によって触媒燃焼器の燃焼量の制御をおこなうことによって、局部洗浄時に人体が快適に感じる洗浄液の温度で洗浄できるという効果を有する。
【００３４】
また、請求項２に係る携帯用洗浄装置は、温度検知手段で検知した洗浄液の温度が設定温度に達したことを表示する表示部を設けたので、洗浄液の温度が設定温度に達したかどうかが表示部を見れば分かるので、洗浄液を一度噴出させて温度を体感的に確認することなしに使用できるという効果を有する。
【００３５】
また、請求項３に係る携帯用洗浄装置は、洗浄液の温度を設定する温度設定手段と、洗浄液の温度を表示する洗浄液温度表示部を設け、洗浄液の温度を好みの温度に設定でき、その温度に達したかどうか洗浄液温度表示部を見て確認できるので、より快適性が向上し、使い勝手がいいという効果を有する。
【００３６】
また、請求項４に係る携帯用洗浄装置は、温度検知手段で検知した洗浄液の温度がある決められた温度になるまでは切換弁を洗浄液循環路側へロックするので、洗浄液が低温のときに誤って噴出させようとしても洗浄液は噴出されず不快を得ることがないという効果を有する。
【図面の簡単な説明】
【図１】  本発明の実施例１における携帯用洗浄装置の構成図
【図２】  本発明の実施例２における携帯用洗浄装置の構成図
【図３】  本発明の実施例３における携帯用洗浄装置の構成図
【図４】  本発明の実施例４における携帯用洗浄装置の外観図
【図５】  本発明の実施例５における携帯用洗浄装置の外観図
【図６】  本発明の実施例６における携帯用洗浄装置の構成図
【図７】  従来の携帯用洗浄装置の構成図
【符号の説明】
１  洗浄液タンク
２  ポンプ
３  洗浄液流路
４  噴出口
５  切換弁
６  洗浄液循環路
７  電気ヒータ（発熱源）
８  電池
９  噴出スイッチ
１０  触媒燃焼器（発熱源）
１１  点火装置
１２  燃料タンク
１３  燃料開閉弁
１４  ガス噴出ノズル
１５  燃焼用触媒
１６  点火スイッチ
１７  サーミスタ（温度検知手段）
１８  制御部
１９  表示部
２０  洗浄液温度表示部
２１  温度設定手段
３４  破砕箇所
３５  化学的発熱剤
【図１】
0003893732.tif 000002
【図２】
0003893732.tif 000003
【図３】
0003893732.tif 000004
【図４】
0003893732.tif 000005
【図５】
0003893732.tif 000006
【図６】
0003893732.tif 000007
【図７】
0003893732.tif 000008